(57)【要約】【課題】人目を引いて商品の販売量を向上させることができる上、塵埃が商品に付いたり商品が地面に落ちたりすることから保護することができる商品陳列装置を提供しようとする。【解決手段】その正面が観覧面とされた箱状のものであって、該箱状のものの後壁が、少なくともその前記正面と対面した前面が透明であり、且つ、その中に噴気装置４２が取り付けられていて複数の気泡を発生させて該箱状のものの内の陳列商品の背景とすることができる液体溜め槽４１からなっていることを特徴とする商品陳列装置。【選択図】図４
0003108634.tif 000002
【実用新案登録請求の範囲】
【請求項１】
その正面が観覧面とされた箱状のものであって、該箱状のものの後壁が、少なくともその前記正面と対面した前面が透明であり、且つ、その中に噴気装置が取り付けられていて複数の気泡を発生させて該箱状のものの内の陳列商品の背景とすることができる液体溜め槽からなっていることを特徴とする商品陳列装置。
【請求項２】
台座と、
前記台座の上面の後側に直立していてその中に空気を導入して複数の気泡を発生させる噴気装置が取り付けられている液体溜め槽と、
前記台座の上面と上下対向し、かつその後側が前記台座と共に前記液体溜め槽を挟むように前記液体溜め槽の上面に設けられている蓋板と、
前記蓋板の左右両側のそれぞれと前記台座の上面との間に挟まれるように前記液体溜め槽の左右両側に直立的に設けられていて前への開口を形成している左右２つの側板とを備えており、
且つ、少なくとも前記液体溜め槽の前面が透明であることを特徴とする商品陳列装置。
【請求項３】
前記左右２つの側板の少なくとも一つの前端縁に、扉板が開閉可能に枢設されていて前記開口を閉めることができることを特徴とする請求項２に記載の商品陳列装置。
【請求項４】
前記左右２つの側板の間には、複数の棚板が上下並列に掛け渡されていることを特徴とする請求項２又は３に記載の商品陳列装置。
【請求項５】
前記液体溜め槽の下方に設けられていて前記液体溜め槽内へ投光する第１の照明部材を更に備えていることを特徴とする請求項１乃至４のいずれかの一項に記載の商品陳列装置。
【請求項６】
前記左右２つの側板の少なくとも一つに、図面が設けられており、
前記台座内の前記液体溜め槽の下方に設けられていて前記液体溜め槽内へ投光する第１の照明部材と、それぞれ前記左右２つの側板にある図面の上方に嵌め込まれていて前記図面の方へ投光する第２及び第３の照明部材と、前記蓋板の下方に設けられていて前記台座の方へ投光する第４の照明部材とを有することを特徴とする請求項２乃至４のいずれかの一項に記載の商品陳列装置。
【請求項７】
前記図面はいずれもレーザーにより彫刻してなり、前記照明部材は、いずれも有色光を発するものであることを特徴とする請求項６に記載の商品陳列装置。
【請求項８】
前記照明部材の点滅を制御する制御ユニットと、前記液体溜め槽に溜められた液体を濾過する濾過ユニットとを更に備えていることを特徴とする請求項５乃至７のいずれかの一項に記載の商品陳列装置。
【考案の詳細な説明】
【技術分野】
【０００１】
本考案は、商品陳列装置に関し、特に商品を展示したり陳列販売したりする商品陳列装置に関する。
【背景技術】
【０００２】
従来から、デパートなどの商品販売店によく見られている商品陳列装置１は、図１に示されるように、地面に安定的に載置されている中空な台座１１と、台座１１の上面のほぼ中央部に直立している立板１２と、それぞれ立板１２の周方向を回るように上下並列に設けられていてそれらの上面に商品１４を陳列する複数の棚板１３とからなっている。
【０００３】
このような商品陳列装置１は変化に乏しく、人目を陳列物に引くことができない。これに鑑みて、考案者は台湾特許第０８８２０７６６３号において、変化や色彩に富んで人目を陳列物に引いて商品の販売を促進することができる商品陳列装置２を開示している。
【０００４】
台湾特許第０８８２０７６６３号に開示されている商品陳列装置２は、図２に示すように、地面に安定的に載置されている中空な台座２１と、台座２１の上面のほぼ中央部に直立していてその内部に水が殆ど頂面まで溜められている透明な水溜め槽２２と、水溜め槽２２にそれぞれ水溜め槽２２の周方向を回るように上下並列に設けられていてそれらの上面に商品２４を陳列する複数の棚板２３とからなっている。
【０００５】
透明な水溜め槽２２内の底部には複数の噴気装置２２５が取付けられている。各噴気装置２２５はそれぞれ複数の噴気孔２２６を備えている。また、透明な水溜め槽２２の頂部に設けられている、蓋体２２３には複数の通孔２２４が開けられている。
【０００６】
台座２１内に設けられている吸気ポンプ（図示せず）によって外部の空気を複数の噴気装置２２５に吸引して複数の噴気孔２２６を経由して水溜め槽２２内の貯水に導入すると、水溜め槽２２内に気泡が発生し、段々と水面まで昇る。特に、複数の噴気孔２２６がいずれも横に向いているので、気泡が横へある程度行ってから上へ昇って湾曲の軌跡を描くのみならず、水に波紋効果を招来して前記湾曲の軌跡をまるで舞うように揺らし、動的な視覚効果を生じることができる。
【０００７】
また、台座２１内の水溜め槽２２の下方には上へ投光するための複数の照明部材２２７が設けられているので、それらを投光させると、水溜め槽２２内の水、特に水内に揺られている気泡列をぴかぴかと光らせて華麗に見せる効果がある。この効果は、前記投光乃至水溜め槽２２の壁面などの色彩選択又は配合によって更に増加され、美妙となる。
【考案の開示】
【考案が解決しようとする課題】
【０００８】
台湾特許第０８８２０７６６３号に開示されている商品陳列装置２は、確かに人目を引いて商品の販売量を向上させることができる利点を有するが、棚板２３上に置かれる商品２４がカバーされずにそのまま大気に暴露するので、塵埃が付着し易い上、不意に突き当てられて地面に落ちてしまう可能性があり、真珠や宝石など貴重品であれば盗まれる恐れもある。
【０００９】
上記に鑑みて、本考案の第１の目的は、人目を引いて商品の販売量を向上させることができる上、塵埃が商品に付いたり商品が地面に落ちたりすることから保護することができる商品陳列装置を提供しようとすることにある。
【００１０】
本考案の第２の目的は、その内に宝石など高価な商品が置かれても、盗まれる可能性を低減することができる商品陳列装置を提供しようとすることにある。
【課題を解決するための手段】
【００１１】
本考案は、その正面が観覧面とされた箱状のものであって、該箱状のものの後壁が、少なくともその前記正面と対面した前面が透明であり、且つ、その中に噴気装置が取り付けられていて複数の気泡を発生させて該箱状のものの内の陳列商品の背景とすることができる液体溜め槽からなっていることを特徴とする商品陳列装置を提供するものである。
【００１２】
この構成による商品陳列装置は、箱状であって、かつその後壁が、噴気装置が取り付けられている液体溜め槽からなっているので、箱内に置いている商品を保護し、地面に落ちたり塵埃に付けられたりすることを避けることができる上、複数の気泡を発生できる液体溜め槽を商品の背景とすることで人目を容易に引いて商品の販売量を向上させる効果を有することができる。
【００１３】
また、本考案は、台座と、前記台座の上面の後側に直立していてその中に空気を導入して複数の気泡を発生させる噴気装置が取り付けられている液体溜め槽と、前記台座の上面と上下対向し、かつその後側が前記台座と共に前記液体溜め槽を挟むように前記液体溜め槽の上面に設けられている蓋板と、前記蓋板の左右両側のそれぞれと前記台座の上面との間に挟まれるように前記液体溜め槽の左右両側に直立的に設けられていて前への開口を形成している左右２つの側板とを備えており、且つ、少なくとも前記液体溜め槽の前面が透明であることを特徴とする商品陳列装置を提供するものである。
【００１４】
それにより、前記液体溜め槽の前面と前記蓋板と前記左右２つの側板と前記台座の上面とから商品を陳列するための商品陳列空間を形成することができる。
【００１５】
この構成による商品陳列装置は、前記商品陳列空間が、前記蓋板及び前記側板により適当に保護され、かつ前記気泡を発生させる液体溜め槽をその背景としているので、人目を引いて商品の販売を促進することができる上、塵埃に付けられたり地面に落ちたりすることを防止できる。
【００１６】
また、前記左右２つの側板の少なくとも一つの前端縁に扉板が開閉可能に枢設されていて前記開口を閉めることができることが好ましい。それにより、商品が盗まれる可能性を低減することができるので、前記商品陳列空間内に一般の商品だけでなく真珠・宝石など高価・貴重なものを陳列・展示することもできる。
【００１７】
もちろん、真珠・宝石など高価な商品を置く時、前記扉板に錠部材が付加えられることが好ましい。
【考案の効果】
【００１８】
本考案の商品陳列装置は、商品を保護することができるのみならず、変化や色彩に富んでいて人目を引いて商品の販売を促進することができる。
【考案を実施するための最良の形態】
【００１９】
以下、本考案の商品陳列装置の好ましい実施形態を詳しく説明する。なお、以下の説明においては、そのサイズに拘わらず、略同一の機能及び構成を有する構成要素については、同一符号を付し、重複説明は必要な場合にのみ行う。
【００２０】
（実施形態１）
図３は本考案の第１の実施形態の商品陳列装置を示す分解斜視図であり、図４は前記第１の実施形態の組立後の斜視図である。
【００２１】
本考案の第１の実施形態の商品陳列装置は、図３及び図４に示すように、地面に安定的に載置されている中空な台座３を備えている。この中空な台座３は、開口が上へ向いている横断面四角形の本体部３１と、前記開口を覆うように本体部３１の上面に脱着可能に設けられている四角形の蓋体部３２とからなっている。蓋体部３２はガラス材などの透明なものからなっている。
【００２２】
台座３の上面にある蓋体部３２の後側には、２枚のガラス板４１１，４１１が蓋体部３２の後辺と平行しかつ所定隙間を開けるように前後並列に直立している。２枚のガラス板４１１，４１１の左右両側には、それぞれガラス板である透明な側板５２，５２が直立している。この２枚のガラス板４１１，４１１と２枚の透明な側板５２，５２の後側と台座３の蓋体部３２の後側により、透明な液体溜め槽４１が形成されて台座３の後側に直立している。
【００２３】
該透明な液体溜め槽４１の内部には、例えば水などの液体４０が殆ど頂面まで溜められている。液体溜め槽４１内の底部、すなわち蓋体部３２には複数の噴気装置４２が取り付けられている。各噴気装置４２はそれぞれ複数の噴気孔（図示せず）を備えている。
【００２４】
台座３内に設けられている複数の吸気ポンプ４３１によって外部の空気を吸込んで導管４４を経由して複数の噴気装置４２に導入すると、空気が噴気装置４２の複数の噴気孔を経由して液体溜め槽４１の貯水に入って一連の気泡になり、揺れながら段々と水面までに浮き昇る。それにより、液体溜め槽４１内に気泡列が舞っている動的な視覚効果を生じることができる。
【００２５】
そして、液体溜め槽４１の上面には、台座３の上面と上下対向し、かつその後側が台座３の本体部３１と共に液体溜め槽４１を挟んでいる孔付き蓋板５３が設けられている。前述した左右２つの側板５２，５２は蓋板５３の左右両側のそれぞれと台座３の上面との間に挟まれている。
【００２６】
左右２つの側板５２，５２の間の蓋板５３寄りのところには、中央部に通孔５８１を有する仕切板５８が設けられている。左右２つの側板５２，５２の前端縁の間の蓋板５３と仕切板５８との間には、固定板５７が設けられている。該固定板５７と台座３の上面との間には、透明な扉板５４が左右２つの側板５２，５２中の一つの前端縁に開閉可能に枢設されている。また、前記左右２つの側板５２，５２それぞれの仕切板５８の下方に位置するところには、広告用文字（メーカやマーク、商品名称）などの図面５２１が設けられている。本実施形態において前記複数の図面５２１はいずれもレーザーにより彫刻してなったものである。
【００２７】
それにより、液体溜め槽４１の前面（前のガラス板４１１）と仕切板５８と左右２つの側板５２，５２と台座３の上面とから、前へ開口した商品陳列空間５６を形成することができる。扉板５４により商品陳列空間５６の開口を閉めることができる。また、商品陳列空間５６内には、複数の棚板５５が左右２つの側板５２，５２の間に上下並列に掛け渡されている。
【００２８】
そして、本実施形態では、複数の照明部材、すなわち、台座３内の液体溜め槽４１の下方に設けられていて蓋体部３２を介して液体溜め槽４１内へ投光する複数の第１の照明部材６１，６１と、それぞれ左右２つの側板５２，５２にある図面５２１の上方に嵌め込まれていて図面５２１の方へ投光する第２及び第３の照明部材６２，６２と、仕切板５８の通孔５８１の下方に吊り下げられていて商品陳列空間５６内へ投光する第４の照明部材６３と、第２及び第３の照明部材６２，６２の高さとほぼ同じように液体溜め槽４１の前面に嵌め込まれていてガラス板４１１内へ投光する第５の照明部材６４とを更に備えている。
【００２９】
これらの照明部材６１乃至６４は、いずれも異なる有色光を発するものである。
【００３０】
また、台座３の本体部３１の側面には、外部から操作することができる制御ユニット７が設けられている。該制御ユニット７は、台座３内の制御器４５を介して複数の吸気ポンプ４３１の作動を制御する第１のスイッチ７１と、複数の照明部材６１乃至６４の点滅をそれぞれ制御する第２乃至５のスイッチ７２乃至７５とからなっている。
【００３１】
液体溜め槽４１に溜められた液体４０をいつもきれいに保持させるために、台座３内にこの液体４０を濾過するための濾過ユニット９を更に備えている。該濾過ユニット９は濾過器９１と、液体溜め槽４１に溜められた液体４０を濾過器９１内に導入して濾過する入水管９２と、濾過した液体４０を液体溜め槽４１内に再び導入する出水管９３とからなっている。
【００３２】
また、美観上のために、蓋板５３と仕切板５８との間の、固定板５７、左右２つの側板５２，５２の第２と第３の照明部材６２が位置している箇所及び液体溜め槽４１の後面の第５の照明部材６４と対応している箇所には、それぞれ飾り板８１が貼り付けられている。それにより、照明部材６２，６４を外面から隠すことができる。
【００３３】
叙上のように、本考案の第１の実施形態の商品陳列装置は、全体からみれば、図４に示すような箱体であり、該箱体の正面の他に両方の側面も観覧面とすることができ、そして、これらの観覧面から箱内をみると、箱内の後壁中には噴気装置による噴気及び照明部材による投光により、ぴかぴかと光りながら揺れている複数の気泡列がみえ、箱内の陳列商品（図示せず）の背景とし、陳列商品を一層見栄えするようにすることができる。
【００３４】
それに、商品陳列空間５６内に展示・陳列されている商品がカバーされて保護されるので、商品に塵埃が付着し難いのみならず、不意に突き当てられて地面に落ちる虞もない。
【００３５】
もちろん、この実施形態における投光設計、色彩設計などは、陳列しようとする商品の類別や性質により変更することができる。例えば、両方の側板を暗色のものとし、且つ、投光をちょっと仄かにさせて気泡列だけに集中すれば、正面から観覧すると、ぴかぴかと光りながら揺れている複数の気泡列を背景としている真珠は、まるで竜宮にあるように神秘、優雅かつ高貴な感じがするので、商品の価値感を大幅に付加させることができる。
【００３６】
また、高貴品でない若者向けのものであれば、投光についても色彩についても設計をなるべく賑やかにさせ流行感を付与し、ひいては、扉をつけないまま開放させた方が良いと考えられる。
【００３７】
（実施形態２）
図５は、本考案の第２の実施形態の商品陳列装置を示す斜視図である。この実施形態の前記第１の実施形態と異なる点は、台座３のサイズがより大きく、かつ台座３に図面が彫刻されていることにある。
【００３８】
（実施形態３）
図６は、本考案の第３の実施形態の商品陳列装置を示す斜視図である。この実施形態の前記第１の実施形態と異なる点は、商品陳列空間５６の開口を閉める扉板５４が観音開き式の設計であり、かつ中空な台座３にも観音開き式のドアが設けられていることにある。
【００３９】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【産業上の利用可能性】
【００４０】
本発明の商品陳列装置は、商品を保護して塵埃の付着を避けることができるのみならず、華麗な液体溜め槽を商品の背景としているので、人目を引いて商品の販売を促進することができる。
【図面の簡単な説明】
【００４１】
【図１】従来の商品陳列装置を示す斜視図。
【図２】従来の他の商品陳列装置を示す斜視図。
【図３】本考案の第１の実施形態の商品陳列装置を示す分解斜視図。
【図４】前記第１の実施形態の組立後の斜視図。
【図５】本考案の第２の実施形態の商品陳列装置を示す斜視図。
【図６】本考案の第３の実施形態の商品陳列装置を示す斜視図。
【符号の説明】
【００４２】
３…台座、３１…本体部、３２…蓋体部、４０…液体、４１…液体溜め槽、４１１…ガラス板、４２…噴気装置、４３１…吸気ポンプ、４４…導管、４５…制御器、５２…側板、５２１…図面、５３…蓋板、５４…扉板、５５…棚板、５６…商品陳列空間、５７…固定板、５８…仕切板、５８１…通孔、６１…第１の照明部材、６２…第２と第３の照明部材、６３…第４の照明部材、６４…第５の照明部材、７…制御ユニット、７１…第１のスイッチ、７２…第２のスイッチ、７３…第３のスイッチ、７４…第４のスイッチ、７５…第５のスイッチ、８１…飾り板、９…濾過ユニット、９１…濾過器、９２…入水管、９３…出水管。
【図１】
0003108634.tif 000003
【図２】
0003108634.tif 000004
【図３】
0003108634.tif 000005
【図４】
0003108634.tif 000006
【図５】
0003108634.tif 000007
【図６】
0003108634.tif 000008